(57)【特許請求の範囲】
【請求項１】
互いに隣り合って一列に並ぶように形成された埋立地を複数個有し、複数の埋立地のそれぞれに少なくとも、浸出水集排水路と、ガス抜き路と、浸出水貯留部と、浸出水貯留部より突出する排出管と、排出管より分岐する如く設けられた浸出水の送水管及び雨水の放流管と、排出管の分岐部分に介挿された切換弁とを備え、切換弁を切換えることによって、浸出水貯留部中の浸出水が送水管を経由して水処理施設で浄化した後に放流されるか、あるいは、浸出水貯留部の中に貯留された雨水が放流管を経由して放流される構成の廃棄物処分場において、当該廃棄物処分場の一列に並ぶ複数の埋立地毎に安定化の異なる廃棄物を埋め立てることを特徴とする廃棄物埋立方法。
【請求項２】
一列に並ぶ複数の埋立地にそれぞれ埋め立てられる廃棄物の安定化の早さの順番を、一列に並ぶ複数の埋立地の並び順に合わせたことを特徴とする請求項１に記載の廃棄物埋立方法。
【発明の詳細な説明】
【０００１】
【発明の属する技術分野】
この発明は、複数の埋立地を備えた廃棄物処分場への廃棄物埋立方法に関する。
【０００２】
【従来の技術】
従来、産業廃棄物，生活廃棄物を集積するための廃棄物処分場１は図９及び図１０に示すように地上２を凹状に掘削，成形し、さらにコンクリート塀３を構築して形成したり、河川の谷の上流側を塞き止めて、この谷の凹部を処分場として有効利用する等により形成している。
【０００３】
凹部２の底部４には通常、２重シートから成る遮水シート５がほぼ全面に敷設され、この遮水シート５の上には浸出水集排水路６が複数設けられ、この浸出水集排水路６には複数本の分岐浸出水集排水路７が接続される。この分岐浸出水集排水路７のうち、外側に位置する分岐浸出水集排水路７の先端からはこの分岐浸出水集排水路７に連通するとともに傾斜面８に沿うガス抜き路９が延長する。このガス抜き路９としては、浸出水集排水路６の複数個所に上方向に延長する図外のガス抜き管を接続することによっても形成される。また、遮水シート５の下面側には複数の地下水集排水路１０及びこの地下水排水路１０に接続された図外の分岐地下水集排水路が設けられる。
【０００４】
この廃棄物処分場１の側部には、ピットと称される小形の浸出水貯留部１１が設けられる。この浸出水貯留部１１には浸出水ガイド管１２を介して浸出水集排水路６からの浸出水が貯留された上で、図外のポンプを介して外部に排出され、浄化処理される。
また、廃棄物処分場１の側部には、地下水貯留部１３が設けられ、この地下水貯留部１３には地下水ガイド路１４を介して地下水集排水路１０からの地下水が貯留された上で、図外のポンプを介して外部に排出され、処理される。
【０００５】
上記浸出水集排水路６は図１１，図１２に示すように外周に多数の孔を有する集排水管６ａを凹部６ｂに設置しその周りを砕石等のフィルター材６ｃで埋めて構成される。遮水シート５の上には砂，砂利等の保護材１５が設けられる。
また、上記地下水集排水路１０は外周に多数の孔を有する集排水管１０ａを凹部１０ｂに設置し、その周りを砕石等のフィルター材１０ｃで埋めて、蓋材１０ｄを被せて構成される。
【０００６】
以上の構成において、処分場１には廃棄物１ｍが収容されるが、その内部に雨水，あるいは廃棄物１ｍよりしみ出した液状成分による浸出水ａが一定の水圧Ｐを有して滞留され、このような廃棄物よりしみ出したり、雨水が廃棄物を通過することにより汚染物質を含むことになった浸出水ａは、底部４方向に移行するが遮水シート５によりブロックされるので、底部４の地中に漏洩してしみ込むことはない。
この浸出水ａは、フィルター材６ｃを経由して集排水管６ａの複数の孔を介して集排水管６ａの中に入り込み集水された後、浸出水ガイド管１２を介して浸出水貯留部１１に排水して貯留され、その後図外のポンプで排出された後、浄化して処理される。集排水管６ａには廃棄物より発生するガスも供給されるが、これは、ガス抜き路９を介して外部に放出される。
【０００７】
底部４の地中の地下水ｂは、フィルター材１０ｃを経由して集排水管１０ａの複数の孔を介して排水管１０ａの中に入り込み、集水された後、ガイド管１４を介して地下水貯留部１３に貯留され、その後図外のポンプで排出される。
【０００８】
この場合、我が国の一般廃棄物最終処分場及び産業廃棄物管理型最終処分場等の廃棄物処分場の埋立地構造は、廃棄物の安定化と無害化を促進し最終処分場廃止後の跡地利用を確実にすることを目的に、準好気性促進型の埋立構造を採用している。この準好気性の埋立構造は、廃棄物の保有水や降雨の浸透による浸出水を埋立地下部に配置された浸出水集配水路を通して埋立地外に速やかに排出することで、埋立地内に浸出水を極力滞留させずに廃棄物層内の好気性領域を確保する。また、ガス集排気路を通して廃棄物の分解過程で発生するガスを大気中に排出しながら浸出水集排水路やガス集排気路を通して空気を埋立地内に通気することで廃棄物層内の好気性領域を拡大する。このように、廃棄物の好気的分解を促進させることで廃棄物自体の自浄作用による早期安定化と早期無害化を期待するものである。
しかし、廃棄物が安定化および無害化するまでの期間については定説がなく、一般論としては埋立処分が終了（埋立地の閉鎖）してから廃棄物の安定化及び無害化が確認されて埋立地を廃止するまでには１５年から５０年の期間が必要と言われているものの、現段階では廃棄物の浄化程度を予測することは非常に困難である。その理由としては、廃棄物の多様性や埋立条件等の相違を考慮した廃棄物の浄化シミュレート技術が確立されていないことはもちろん、廃棄物が安定化及び無害化されたことを判断する基準が明確でなかったことにもよる。
これに対し、最近最終処分場の廃止基準が示されている。このうち、廃棄物の安定化及び無害化に係わる事項は次の通りである。
Ａ，保有水等集排水設備により集められた保有水等の水質が次に掲げる項目・頻度で２年以上にわたり行った水質検査の結果排水基準等に適合していると認められること。
（１）排水基準等  ６月に１回以上
（２）ＢＯＤ，ＣＯＤ，ＳＳ  ３月に１回以上
Ｂ，埋立地からガスの発生がほとんど認められない、又はガスの発生量の増加が２年以上にわたり認められないこと。
Ｃ，埋立地の内部が周辺の地中温度に比して異常な高温になっていないこと。
【０００９】
【発明が解決しようとする課題】
以上のように、廃棄物は埋立て終了（埋立て閉鎖）から数１０年を経て廃止基準を満足することで安定化に至るものであるが、上述の如く浸出水質が廃棄物の種類に応じて異なることから、その安定化の期間（閉鎖から廃止基準を満たすまでの期間）も異なる。
そこで、従来のように廃棄物の種類を問わず、一括して廃棄物処分場１に投入していたのでは、安定化の最も長い種類の廃棄物が廃止基準を満足するまで廃止とはならず、廃止までに長期間を要する。このため廃棄物処分場１の跡地利用は全く行えないことになる。
本発明はこのような欠点を除去するためになされたもので、安定化の速い廃棄物を埋立てる埋立地について、早期に廃止可能として、廃止埋立地の跡地有効利用を必要最小限の範囲で行えるようにするものである。
【００１０】
【課題を解決するための手段】
本願発明に係る廃棄物埋立方法は、互いに隣り合って一列に並ぶように形成された埋立地を複数個有し、複数の埋立地のそれぞれに少なくとも、浸出水集排水路と、ガス抜き路と、浸出水貯留部と、浸出水貯留部より突出する排出管と、排出管より分岐する如く設けられた浸出水の送水管及び雨水の放流管と、排出管の分岐部分に介挿された切換弁とを備え、切換弁を切換えることによって、浸出水貯留部中の浸出水が送水管を経由して水処理施設で浄化した後に放流されるか、あるいは、浸出水貯留部の中に貯留された雨水が放流管を経由して放流される構成の廃棄物処分場において、当該廃棄物処分場の一列に並ぶ複数の埋立地毎に安定化の異なる廃棄物を埋め立てることを特徴とする。
さらに、一列に並ぶ複数の埋立地にそれぞれ埋め立てられる廃棄物の安定化の早さの順番を、一列に並ぶ複数の埋立地の並び順に合わせたことも特徴とする。
【００１１】
【発明の実施の形態】
実施の形態１．
図１ないし図２は本発明による廃棄物処分場の一実施の形態を示す図であり、図９ないし図１２と同じものは同一符号を用いている。
【００１２】
この場合、廃棄物処分場１は、平面形状か長方形状に設定され、その内部の埋立地が４本の互いに平行な区画堤２０で仕切られることにより、ほぼ同一形状の５個の埋立地２１〜２５に区画されており、浸出水集排水路６及び分岐浸出水集排水路７は各埋立地２１〜２５毎に独立して設けられる。ここで、上記各埋立地２１〜２５中には、安定化の速い、廃棄物から順次埋立てられるように割付けされる。すなわち、安定化の最も速い廃棄物が埋立地２１に埋立てられ、最も遅い廃棄物が埋立地２５に埋立てられる。
各埋立地２１〜２５の端部に浸出水貯留部１１ａ〜１１ｅが設けられ、この浸出水貯留部１１ａ〜１１ｅは、各埋立地２１〜２５に独立に設けられ、かつ、互いに平行に延長する浸出水集排水路６の一端が連通する。
【００１３】
この場合、各浸出水貯留部１１ａ〜１１ｅからは、図２に示すように浸出水ａの送水部としての送水管２６と、雨水ｍ等の放流部としての放流管２７が突出しこの送水管２６は浸出水を浄化する水処理施設２８に接続され、また放流管２７は先端が河川等の放流口側に臨む。上記送水管２６及び放流管２７には、バルブ２９，３０が介挿されており、このバルブ２９を開くことで浸出水貯留部１１ａ〜１１ｅ中の浸出水ａを水処理施設２８で浄化した後、放流できる。なお、浸出水ａの送水管２６や雨水ｍ等の放流管２７は自然流下方式もしくはポンプ圧送方式であり、その切替えは手動もしくは自動で行ってもよく、自動化に際しては貯留部にフロートを浮かせて、その水量に応じてスイッチング手段を働かせるようにして行ってもよい。浸出水ａの送水管２６は、各集水ピットとしての浸出水貯留部１１ａ〜１１ｅから水処理施設２８まで、単独もしくは各送水管を集約した形で接続される。
一方、後述するように浸出水貯留部１１ａ〜１１ｅの中に貯留される雨水ｍについてはバルブ３０を開くことで、放流管２７から図外の溝を経て河川等に直接放流される。
【００１４】
ガス抜き路９は、浸出水集排水路６の、例えば分岐浸出水集排水路７の分岐部分よりガス抜き管を垂直方向に延長させて、浸出水集排水路６内のガスを廃棄物の堆積物の上部より外部に放出する如く設けられ、このガス抜き路９も各埋立地２１〜２５毎に複数本ずつ設けられる。
【００１５】
なお、送水管２６，放流管２７は図３に示す如く浸出水貯留部１１ａ〜１１ｅより突出する１本の排出管３１より分岐する如く接続し、この分岐部分に切換弁３２を介挿し、この切換弁３２を切換えて、上記浸出水ａ，雨水ｍのいずれかを排出するようにしてもよい。
【００１６】
上記区画堤２０は、廃棄物処分場１の底部より、台形状となって突出する如く土砂を盛土したり、コンクリートを打設して設けるが、その高さは比較的高く設定されて、上端側は地表までの高さに達する。この各区画堤２０を被うように、上記遮水シート５によって廃棄物処分場１の内側が被われて、この遮水シート５の上に上記浸出水集排水路６、分岐浸出水集排水路７、ガス抜き路９が、各埋立地２１〜２５毎にそれぞれ設けられる。遮水シート５の下地側の地下水集排水路１０等の構成は従来通りの構成で良い。
【００１７】
以上の構成によれば、安定化が速い廃棄物を埋立てる埋立地については早期に廃止基準に達して廃止可能となるので、その埋立地の上を、有効に跡地利用できる。
また、本実施の形態１の如く、安定化の速さの順に埋立地を順次並べることによって、廃止が、埋立地２１側から埋立地２５方向に順次行われて、跡地利用範囲が連続的に広がるので、跡地利用の計画性を立案し易くなる。
なお、図４は埋立地を互いに離して３個設けた場合を示し、この場合、各埋立地２１〜２３に埋立てる廃棄物としては、具体的に埋立地２１に安定化の速い不燃物、埋立地２２に汚泥物、埋立地２３に焼却灰の埋立てが考えられる。
【００１８】
実施の形態２．
図５（ａ），（ｂ）は、本発明による廃棄物処分場の他の実施の形態を示す平面図及び断面図であり、図１（ａ），（ｂ）と同じものは同一符号を用いている。
【００１９】
この場合、廃棄物処分場１は３個の埋立地２１〜２３より成り、各埋立地２１〜２３には、横方向（埋立地２１〜２３の並び方向）に延長する如く浸出水集排水路６，６，６を設け、各浸出水集排水路６，６，６に連結管６１，６２，６３を介して廃棄物処分場１の長手方向側部に設けた浸出水貯留部１１ａ，１１ｂ，１１ｃより浸出水ａを水処理施設２８に送るようにし、また雨水ｍを直接放流するようにしている。これは分割型である。このように、浸出水貯留部１１ａ，１１ｂ，１１ｃを長手方向側部に位置させた場合も本発明を適用できる。そして、この場合も、埋立地２１に最も安定化の速いもの、埋立地２２に安定化の中程度のもの、埋立地２３に安定化の最も遅いものが埋立てられる。
【００２０】
実施の形態３．
図６（ａ），（ｂ）は本発明による廃棄物処分場の他の実施の形態を示す平面図及び断面図であり、図１（ａ），（ｂ）と同じものは同一符号を用いている。
【００２１】
この場合、各埋立地２１〜２３は、地表と同じ高さの突堤２０ｆで完全に分離されている。すなわち、３個の並びの凹部を設けて埋立地２１，２２，２３を形成しており、浸出水集排水路６、分岐浸出水集排水路７、ガス抜き路９および遮水シート５をそれぞれ個別に設けて分離型を構成している。このように高さの高い突堤２０ｆを設けて、埋立地を完成して分離しても同様である。
【００２２】
実施の形態４．
図７（ａ），（ｂ）は本発明による廃棄物処分場の他の実施の形態を示す平面図及び断面図であり、図５（ａ），（ｂ）と同じものは同一符号を用いている。
【００２３】
この場合、廃棄物処分場１の凹部の底部にコンクリート製の仕切壁２０ｇ，２０ｇを設けて、埋立地２１，埋立地２２，埋立地２３を形成している。これは、分離型となっている。このような構成によっても浸出水ａ、雨水ｍの処理は可能となる。
【００２４】
実施の形態５．
図８は本発明による廃棄物処分場の他の実施の形態を示す平面図であり、図１と同じものは同一符号を用いている。この場合、廃棄物処分場の敷地内の互いに離れた位置に埋立地２１，埋立地２２，埋立地２３を掘削して形成したもので、完全分離型となっている。このような構成によっても浸出水ａ，雨水ｍの処理は可能である。
図６〜図８の場合も、埋立地２１に安定化の最も速いもの、埋立地２２に中程度のもの、埋立地２３に安定化の最も遅いものが埋立てられる。
【００２５】
【発明の効果】
以上、説明したように本発明の請求項１によれば、廃棄物処分場の一列に並ぶ複数の埋立地毎に安定化の異なる廃棄物を埋め立てるので、安定化の早い廃棄物を埋立てる埋立地の廃止を早期に行え、跡地利用を必要最小限の範囲で行える。
また、請求項２の発明によれば、一列に並ぶ複数の埋立地にそれぞれ埋め立てられる廃棄物の安定化の早さの順番を、一列に並ぶ複数の埋立地の並び順に合わせたので、跡地利用範囲が連続的に広がるので、跡地利用の計画性を立案し易くなる。
【図面の簡単な説明】
【図１】  この発明の一実施の形態を示す平面図及び断面図である。
【図２】  この発明の一実施の形態の要部を示す簡略構成図である。
【図３】  この発明の一実施の形態の要部を示す簡略構成図である。
【図４】  この発明の一実施の形態を示す平面図である。
【図５】  この発明の他の実施の形態を示す平面図及び断面図である。
【図６】  この発明の他の実施の形態を示す平面図及び断面図である。
【図７】  この発明の他の実施の形態を示す平面図及び断面図である。
【図８】  この発明の他の実施の形態を示す平面図である。
【図９】  従来の廃棄物処理場の一例を示す断面図である。
【図１０】  従来の廃棄物処理場の一例を示す平面図である。
【図１１】  従来の廃棄物処理場の一例を示す断面図である。
【図１２】  従来の廃棄物処理場の一例を示す断面図である。
【符号の説明】
１  廃棄物処分場、５  遮水シート、６  浸出水集排水路、７  分岐浸出水集排水路、９  ガス抜き路、２０  区画堤、２１〜２５  埋立地、２６  送水管、２７  放流管、２８  水処理施設。
【図１】
0004357647.tif 000002
【図２】
0004357647.tif 000003
【図３】
0004357647.tif 000004
【図４】
0004357647.tif 000005
【図５】
0004357647.tif 000006
【図６】
0004357647.tif 000007
【図７】
0004357647.tif 000008
【図８】
0004357647.tif 000009
【図９】
0004357647.tif 000010
【図１０】
0004357647.tif 000011
【図１１】
0004357647.tif 000012
【図１２】
0004357647.tif 000013